(57)【要約】【課題】操縦安定性を確保しつつ摩耗時の転倒防止性能を向上させることのできる空気入りタイヤを提供すること。【解決手段】トレッド面１１の輪郭範囲Ｌ１と、トレッド展開幅ＴＤＷと、中央部円弧３１の曲率半径ＴＲ１と、ショルダー側円弧３２の曲率半径ＴＲ２と、タイヤ外径ＯＤと、総幅ＳＷと、偏平率βとより、Ｆ１＝Ｌ１／（ＴＤＷ×０．５）で求められた値が０．６４≦Ｆ１≦０．７の範囲内となり、Ｆ２＝ＴＲ１／ＯＤで求められた値が１．２≦Ｆ２≦２．０の範囲内となり、Ｆ３＝ＴＲ２／ＴＲ１で求められた値が０．１≦Ｆ３≦０．２の範囲内となり、Ｆ４＝（β×ＴＤＷ）／（１００×ＳＷ）で求められた値が０．３５≦Ｆ４≦０．４８の範囲内となるようにトレッド面１１を形成する。さらに、キャップトレッド１２を、タイヤ径方向外方側からタイヤ径方方向内方側に向かうに従って３００％引張モジュラスが低くなる複数のゴム層により形成する。【選択図】        図１
2009090692.tif 000002
【特許請求の範囲】
【請求項１】
タイヤ幅方向の両端にサイドウォール部を有し、前記サイドウォール部のタイヤ径方向外方にはキャップトレッドを有するトレッド部が設けられると共に、子午面断面で見た場合に前記キャップトレッドの表面であるトレッド面が複数の異なる曲率半径の円弧で形成された空気入りタイヤであって、
正規リムにリム組みし、且つ、正規内圧の５％を内圧充填した状態において、前記トレッド面は、タイヤ幅方向の中央に位置する中央部円弧と、前記中央部円弧の少なくともタイヤ幅方向車両外側に位置するショルダー側円弧と、前記トレッド面の少なくともタイヤ幅方向車両外側の端部に位置するショルダー部を形成するショルダー部円弧と、により形成されており、
前記中央部円弧の曲率半径をＴＲ１とし、
前記ショルダー側円弧の曲率半径をＴＲ２とし、
赤道面から前記中央部円弧のタイヤ幅方向における端部までの幅である輪郭範囲をＬ１とし、
タイヤ幅方向における前記トレッド面の幅であるトレッド展開幅をＴＤＷとし、
タイヤ幅方向の両端に位置して対向する前記サイドウォール部のうちタイヤ幅方向の最も外方に位置する部分同士のタイヤ幅方向における幅である総幅をＳＷとし、
前記トレッド面のうちタイヤ径方向における径が最も大きい部分の直径であるタイヤ外径をＯＤとし、
偏平率をβとした場合に、
前記輪郭範囲Ｌ１と前記トレッド展開幅ＴＤＷとの関係式である下記の式（１）で求められたＦ１が０．６４≦Ｆ１≦０．７の範囲内になると共に、
前記中央部円弧の曲率半径ＴＲ１と前記タイヤ外径ＯＤとの比を求める式である下記の式（２）で求められたＦ２が１．２≦Ｆ２≦２．０の範囲内になり、
前記中央部円弧の曲率半径ＴＲ１と前記ショルダー側円弧の曲率半径ＴＲ２との比を求める式である下記の式（３）で求められたＦ３が０．１≦Ｆ３≦０．２の範囲内になり、
さらに、前記偏平率βと前記トレッド展開幅ＴＤＷと前記総幅ＳＷとの関係式である下記の式（４）で求められたＦ４が０．３５≦Ｆ４≦０．４８の範囲内になり、
前記キャップトレッドは、タイヤ径方向外方側からタイヤ径方方向内方側に向かうに従って３００％引張モジュラスが低くなる複数のゴム層により形成されていることを特徴とする空気入りタイヤ。
Ｆ１＝Ｌ１／（ＴＤＷ×０．５）・・・（１）
Ｆ２＝ＴＲ１／ＯＤ・・・（２）
Ｆ３＝ＴＲ２／ＴＲ１・・・（３）
Ｆ４＝（β×ＴＤＷ）／（１００×ＳＷ）・・・（４）
【請求項２】
前記キャップトレッドを形成する複数のゴム層は、タイヤ径方向外方側に位置する前記ゴム層である外側ゴム層と、前記外側ゴム層のタイヤ径方向内方側に位置する前記ゴム層である内側ゴム層とからなり、
前記外側ゴム層の３００％引張モジュラスＭｏは（１０＜Ｍｏ≦１５）ＭＰａの範囲内になっており、前記内側ゴム層の３００％引張モジュラスＭｉは（５≦Ｍｉ≦１０）ＭＰａの範囲内になっていることを特徴とする請求項１に記載の空気入りタイヤ。
【請求項３】
前記内側ゴム層の平均厚さは前記キャップトレッドの厚さの３０〜７０％の範囲内となっていることを特徴とする請求項２に記載の空気入りタイヤ。
【請求項４】
前記中央部円弧のタイヤ幅方向における端部を通り、且つ、前記中央部円弧に接する接線と、
前記ショルダー部円弧のタイヤ幅方向外方側の端部を通り、且つ、前記ショルダー部円弧に接する接線とでなす角度αが、３５°≦α≦６０°の範囲内になっていることを特徴とする請求項１〜３のいずれか１項に記載の空気入りタイヤ。
【請求項５】
前記ショルダー部円弧の曲率半径をＳＨＲとした場合に、
前記中央部円弧の曲率半径ＴＲ１と前記ショルダー部円弧の曲率半径ＳＨＲとの比を求める式である下記の式（５）で求められたＦ５が０．０２５≦Ｆ５≦０．０３５の範囲内になることを特徴とする請求項１〜４のいずれか１項に記載の空気入りタイヤ。
Ｆ５＝ＳＨＲ／ＴＲ１・・・（５）
【発明の詳細な説明】
【技術分野】
【０００１】
本発明は、空気入りタイヤに関するものである。特に、この発明は、断面形状が複数の円弧によって形成されたトレッド面を有する空気入りタイヤに関するものである。
【背景技術】
【０００２】
空気入りタイヤは通常、直進走行時とカーブ走行時とではトレッド部における使用領域が異なっているので、走行状況に応じてトレッド部の各部の摩耗の度合いに変化が生じ、偏摩耗が生じる場合がある。そこで、従来の空気入りタイヤでは、トレッド部の形状を適切な形状にし、偏摩耗の低減を図っているものがある。例えば、特許文献１に記載の空気入りラジアルタイヤでは、トレッド部が接地した際の接地圧分布の一様化と接地長さ分布の一様化を図るために、トレッド部のクラウンの形状を曲率半径の異なる３つの円弧により形成し、この円弧の曲率半径、及び各円弧のタイヤ幅方向における幅が、適切な範囲内になるようにして形成している。これにより、様々な走行状態が混在している場合でも、トレッド部がクラウン幅方向に沿って一様に摩耗するので、偏摩耗の低減を図ることができる。
【０００３】
【特許文献１】特開平９−７１１０７号公報
【発明の開示】
【発明が解決しようとする課題】
【０００４】
従来の空気入りタイヤでは、上述したように空気入りタイヤのクラウン形状を適切な形状にすることによって偏摩耗の低減を図っているが、クラウン形状を調整すると、車両走行時の特性も変化する。例えば、クラウン形状を調整し、トレッド部におけるショルダー部付近の接地面積を調整することにより、空気入りタイヤを装着した車両の旋回時の最大コーナリングフォースを変化させることができる。この最大コーナリングフォースは、車両の操縦安定性と転倒防止性能とに寄与し、これらは相反する性能となっているが、近年では車両の高重心化と空気入りタイヤの低偏平率化の傾向が強いため、転倒防止性能を維持すべき要望が多くなっている。
【０００５】
このため、このような転倒防止性能を維持する手法として、クラウン形状を調整してショルダー部付近の接地面積を小さくし、最大コーナリングフォースを低下させることが考えられる。しかし、クラウン形状を調整して転倒防止性能を維持した場合でも、トレッド部が摩耗するに従ってトレッド部の剛性が向上するため、転倒防止性能が低下する虞がある。このようなトレッド部の摩耗時における転倒防止性能を確保するには、トレッド部の剛性を低下させるのが効果的であるが、トレッド部の剛性を低下させた場合、操縦安定性が低下する虞がある。従って、摩耗時における転倒防止性能と操縦安定性と両立することは、大変困難なものとなっていた。
【０００６】
本発明は、上記に鑑みてなされたものであって、操縦安定性を確保しつつ摩耗時の転倒防止性能を向上させることのできる空気入りタイヤを提供することを目的とする。
【課題を解決するための手段】
【０００７】
上述した課題を解決し、目的を達成するために、この発明に係る空気入りタイヤは、タイヤ幅方向の両端にサイドウォール部を有し、前記サイドウォール部のタイヤ径方向外方にはキャップトレッドを有するトレッド部が設けられると共に、子午面断面で見た場合に前記キャップトレッドの表面であるトレッド面が複数の異なる曲率半径の円弧で形成された空気入りタイヤであって、正規リムにリム組みし、且つ、正規内圧の５％を内圧充填した状態において、前記トレッド面は、タイヤ幅方向の中央に位置する中央部円弧と、前記中央部円弧の少なくともタイヤ幅方向車両外側に位置するショルダー側円弧と、前記トレッド面の少なくともタイヤ幅方向車両外側の端部に位置するショルダー部を形成するショルダー部円弧と、により形成されており、前記中央部円弧の曲率半径をＴＲ１とし、前記ショルダー側円弧の曲率半径をＴＲ２とし、赤道面から前記中央部円弧のタイヤ幅方向における端部までの幅である輪郭範囲をＬ１とし、タイヤ幅方向における前記トレッド面の幅であるトレッド展開幅をＴＤＷとし、タイヤ幅方向の両端に位置して対向する前記サイドウォール部のうちタイヤ幅方向の最も外方に位置する部分同士のタイヤ幅方向における幅である総幅をＳＷとし、前記トレッド面のうちタイヤ径方向における径が最も大きい部分の直径であるタイヤ外径をＯＤとし、偏平率をβとした場合に、前記輪郭範囲Ｌ１と前記トレッド展開幅ＴＤＷとの関係式である下記の式（１）で求められたＦ１が０．６４≦Ｆ１≦０．７の範囲内になると共に、前記中央部円弧の曲率半径ＴＲ１と前記タイヤ外径ＯＤとの比を求める式である下記の式（２）で求められたＦ２が１．２≦Ｆ２≦２．０の範囲内になり、前記中央部円弧の曲率半径ＴＲ１と前記ショルダー側円弧の曲率半径ＴＲ２との比を求める式である下記の式（３）で求められたＦ３が０．１≦Ｆ３≦０．２の範囲内になり、さらに、前記偏平率βと前記トレッド展開幅ＴＤＷと前記総幅ＳＷとの関係式である下記の式（４）で求められたＦ４が０．３５≦Ｆ４≦０．４８の範囲内になり、前記キャップトレッドは、タイヤ径方向外方側からタイヤ径方方向内方側に向かうに従って３００％引張モジュラスが低くなる複数のゴム層により形成されていることを特徴とする。
Ｆ１＝Ｌ１／（ＴＤＷ×０．５）・・・（１）
Ｆ２＝ＴＲ１／ＯＤ・・・（２）
Ｆ３＝ＴＲ２／ＴＲ１・・・（３）
Ｆ４＝（β×ＴＤＷ）／（１００×ＳＷ）・・・（４）
【０００８】
この発明では、上記の式によって輪郭範囲Ｌ１とトレッド展開幅ＴＤＷとの関係Ｆ１を算出し、Ｆ１が０．６４≦Ｆ１≦０．７の範囲内になると共に、中央部円弧の曲率半径ＴＲ１とタイヤ外径ＯＤとの比Ｆ２が１．２≦Ｆ２≦２．０の範囲内になるようにすることにより、トレッド面のプロファイルを平坦な形状に近付けることができる。これにより、例えばＦＦ（Front engine Front drive）車のリアタイヤなどの低荷重時における接地面積を増大させることができ、低荷重時の最大コーナリングフォースを増加させることができる。従って、低荷重時の操縦安定性を確保することができる。
【０００９】
また、上記の式によって中央部円弧の曲率半径ＴＲ１とショルダー側円弧の曲率半径ＴＲ２との比Ｆ３を算出し、Ｆ３が０．１≦Ｆ３≦０．２の範囲内になるようにすることにより、例えば最大荷重時などの高荷重時における接地幅を広げることができる。これにより、接地圧の均一化を図ることができるので、耐摩耗性の向上を図ることができる。また、上記の式によって偏平率βとトレッド展開幅ＴＤＷと総幅ＳＷとの関係であるＦ４を算出し、Ｆ４が０．３５≦Ｆ４≦０．４８の範囲内になるようにすることにより、トレッド展開幅を狭くすることができるので、高荷重時の接地面積を減少させることができる。これにより、高荷重時の最大コーナリングフォースを低減することができるので、高荷重時の転倒防止性能を確保することができる。
【００１０】
また、キャップトレッドを、タイヤ径方向外方側からタイヤ径方方向内方側に向かうに従って３００％引張モジュラスが低くなる複数のゴム層により形成しているので、キャップトレッドの摩耗初期段階では、３００％引張モジュラスが高くなっているゴム層を接地させることができる。これにより、キャップトレッドが摩耗する前、またはあまり摩耗していない状態におけるキャップトレッドの剛性を確保できるため、操縦安定性を確保することができる。
【００１１】
また、キャップトレッドを、タイヤ径方向外方側からタイヤ径方方向内方側に向かうに従って３００％引張モジュラスが低くなる複数のゴム層により形成することにより、キャップトレッドの摩耗が進行した際に、３００％引張モジュラスが低くなっているゴム層を接地させることができる。これにより、キャップトレッドが摩耗した際におけるキャップトレッドの剛性を低下させることができるため、摩耗時の転倒防止性能を向上させることができる。これらの結果、操縦安定性を確保しつつ摩耗時の転倒防止性能を向上させることができる。
【００１２】
また、この発明に係る空気入りタイヤは、前記キャップトレッドを形成する複数のゴム層は、タイヤ径方向外方側に位置する前記ゴム層である外側ゴム層と、前記外側ゴム層のタイヤ径方向内方側に位置する前記ゴム層である内側ゴム層とからなり、前記外側ゴム層の３００％引張モジュラスＭｏは（１０＜Ｍｏ≦１５）ＭＰａの範囲内になっており、前記内側ゴム層の３００％引張モジュラスＭｉは（５≦Ｍｉ≦１０）ＭＰａの範囲内になっていることを特徴とする。
【００１３】
この発明では、キャップトレッドを外側ゴム層と内側ゴム層とにより形成し、外側ゴム層の３００％引張モジュラスＭｏは（１０＜Ｍｏ≦１５）ＭＰａの範囲内にすると共に、内側ゴム層の３００％引張モジュラスＭｉは（５≦Ｍｉ≦１０）ＭＰａの範囲内にしている。これにより、キャップトレッドの摩耗が小さい状態におけるキャップトレッドの剛性をより確実に確保することができ、且つ、キャップトレッドの摩耗が大きい状態におけるキャップトレッドの剛性をより確実に低減することができる。この結果、より確実に操縦安定性を確保しつつ摩耗時の転倒防止性能を向上させることができる。
【００１４】
また、この発明に係る空気入りタイヤは、前記内側ゴム層の平均厚さは前記キャップトレッドの厚さの３０〜７０％の範囲内となっていることを特徴とする。
【００１５】
この発明では、内側ゴム層の平均厚さをキャップトレッドの厚さの３０〜７０％の範囲内にするため、キャップトレッドの摩耗初期段階における剛性を確保と、摩耗が進行した場合におけるキャップトレッドの剛性の低減とを、より確実に両立させることができる。つまり、内側ゴム層の平均厚さがキャップトレッドの厚さの３０％よりも薄い場合には、キャップトレッドが摩耗した場合でも、３００％引張モジュラスが高い外側ゴム層が多く残るので、キャップトレッドの剛性が低減し難くなる虞がある。これにより、摩耗時の転倒防止性能が向上し難くなる虞がある。
【００１６】
また、内側ゴム層の平均厚さがキャップトレッドの厚さの７０％よりも厚い場合には、３００％引張モジュラスが低い内側ゴム層の厚さが厚過ぎるため、キャップトレッド全体の剛性が低くなり過ぎる虞がある。これにより、摩耗が少ない状態における操縦安定性を確保するのが困難になる虞がある。従って、内側ゴム層の平均厚さをキャップトレッドの厚さの３０〜７０％の範囲内にすることにより、キャップトレッドの摩耗初期段階における剛性を確保しつつ、摩耗が進行した場合におけるキャップトレッドの剛性をより確実に低減させることができる。この結果、より確実に操縦安定性を確保しつつ摩耗時の転倒防止性能を向上させることができる。
【００１７】
また、この発明に係る空気入りタイヤは、前記中央部円弧のタイヤ幅方向における端部を通り、且つ、前記中央部円弧に接する接線と、前記ショルダー部円弧のタイヤ幅方向外方側の端部を通り、且つ、前記ショルダー部円弧に接する接線とでなす角度αが、３５°≦α≦６０°の範囲内になっていることを特徴とする。
【００１８】
この発明では、上述した角度αが３５°≦α≦６０°の範囲内になるようにすることにより、トレッド面方向からサイドウォール部方向にかけてのショルダー部付近での角度変化を大きくする、即ち、ショルダー部の肩落ちを急角度にすることができる。これにより、高荷重、且つ、高スリップアングル時に接地幅が拡がることを抑制できるので、より確実に高荷重時の最大コーナリングフォースの低減を図ることができる。この結果、より確実に転倒防止性能の向上を図ることができる。
【００１９】
また、この発明に係る空気入りタイヤは、前記ショルダー部円弧の曲率半径をＳＨＲとした場合に、前記中央部円弧の曲率半径ＴＲ１と前記ショルダー部円弧の曲率半径ＳＨＲとの比を求める式である下記の式（５）で求められたＦ５が０．０２５≦Ｆ５≦０．０３５の範囲内になることを特徴とする。
Ｆ５＝ＳＨＲ／ＴＲ１・・・（５）
【００２０】
この発明では、中央部円弧の曲率半径ＴＲ１とショルダー部円弧の曲率半径ＳＨＲとの比Ｆ５が０．０２５≦Ｆ５≦０．０３５の範囲内になるようにすることにより、ショルダー部の曲率半径を小さくすることができる。これにより、高荷重、且つ、高スリップアングル時に接地幅が拡がることを抑制できるので、より確実に高荷重時の最大コーナリングフォースの低減を図ることができる。この結果、より確実に転倒防止性能の向上を図ることができる。
【発明の効果】
【００２１】
本発明に係る空気入りタイヤは、操縦安定性を確保しつつ摩耗時の転倒防止性能を向上させることができる、という効果を奏する。
【発明を実施するための最良の形態】
【００２２】
以下に、本発明に係る空気入りタイヤの実施の形態を図面に基づいて詳細に説明する。なお、この実施の形態によりこの発明が限定されるものではない。また、下記実施の形態における構成要素には、当業者が置換可能かつ容易なもの、或いは実質的に同一のものが含まれる。
【００２３】
（実施の形態）
以下の説明において、タイヤ幅方向とは、空気入りタイヤの回転軸と平行な方向をいい、タイヤ幅方向内方とはタイヤ幅方向において赤道面に向かう方向、タイヤ幅方向外方とは、タイヤ幅方向において赤道面に向かう方向の反対方向をいう。また、タイヤ径方向とは、前記回転軸と直交する方向をいい、タイヤ周方向とは、前記回転軸を回転の中心となる軸として回転する方向をいう。
【００２４】
図１は、この発明に係る空気入りタイヤの要部を示す子午面断面図である。同図に示す空気入りタイヤ１は、子午面断面で見た場合、タイヤ径方向の最も外側となる部分にトレッド部１０が設けられている。また、トレッド部１０のタイヤ幅方向の端部、即ち、ショルダー部１６付近からタイヤ径方向内方側の所定の位置までは、サイドウォール部１５が設けられている。つまり、空気入りタイヤ１におけるタイヤ幅方向の両端には、サイドウォール部１５が設けられている。さらに、このサイドウォール部１５のタイヤ径方向内方側には、ビード部２４が設けられている。このビード部２４は、当該空気入りタイヤ１の２箇所に設けられており、赤道面５を中心として対称になるように、赤道面５の反対側にも設けられている。このため、ビード部２４は、空気入りタイヤ１のタイヤ幅方向における両側に位置している。また、このように設けられるビード部２４にはビードコア２５が設けられており、ビードコア２５のタイヤ径方向外方にはビードフィラー２６が設けられている。
【００２５】
また、トレッド部１０のタイヤ径方向内方には、複数のベルト層２１が設けられている。このベルト層２１のタイヤ径方向内方、及びサイドウォール部１５の赤道面５側には、カーカス２２が連続して設けられている。このカーカス２２は、ビード部２４でビードコア２５に沿ってタイヤ幅方向外方に折り返されている。また、このカーカス２２の内側、或いは、当該カーカス２２の、空気入りタイヤ１における内部側には、インナーライナ２３がカーカス２２に沿って形成されている。
【００２６】
また、トレッド部１０は、キャップトレッド１２を有している。このキャップトレッド１２は、トレッド部１０におけるタイヤ径方向外方に位置し、空気入りタイヤ１の外部に対して露出している。このようにキャップトレッド１２における外部に露出している部分、つまり、キャップトレッド１２の表面は、トレッド面１１として形成されている。
【００２７】
また、トレッド部１０は、当該空気入りタイヤ１を子午面断面で見た場合に、キャップトレッド１２の表面、或いはトレッド部１０の表面であるトレッド面１１が複数の異なる曲率半径の円弧で形成されている。詳細には、トレッド面１１は、空気入りタイヤ１を正規リムにリム組みし、且つ、正規内圧の５％を内圧充填した状態において、トレッド面１１は中央部円弧３１と、ショルダー側円弧３２と、ショルダー部円弧３３とにより形成されている。
【００２８】
なお、ここでいう正規リムとは、ＪＡＴＭＡで規定する「標準リム」、ＴＲＡで規定する「Design Rim」、あるいはＥＴＲＴＯで規定する「Measuring Rim」である。また、正規内圧とは、ＪＡＴＭＡで規定する「最高空気圧」、ＴＲＡで規定する「TIRE LOAD LIMITS AT VARIOUS COLD INFLATION PRESSURES」に記載の最大値、あるいはＥＴＲＴＯで規定する「INFLATION PRESSURES」である。ただし、乗用車用の空気入りタイヤ１の場合には、１８０ｋＰａである。
【００２９】
トレッド面１１を形成する複数の円弧のうち、中央部円弧３１は、トレッド面１１におけるタイヤ幅方向の中央に位置しており、赤道面５を含み、赤道面５を中心として赤道面５のタイヤ幅方向の両側に形成されている。その形状は、タイヤ径方向外方に凸で、赤道面５付近のタイヤ径方向における径が最も大きくなる円弧となっている。
【００３０】
また、ショルダー側円弧３２は、中央部円弧３１のタイヤ幅方向車両外側、あるいは両側２箇所に位置しており、このショルダー側円弧３２は、タイヤ径方向外方に凸となっている。また、ショルダー部円弧３３は、ショルダー側円弧３２のタイヤ幅方向外方に位置している。また、このショルダー部円弧３３は、ショルダー部１６を形成し、タイヤ径方向外方に凸となる円弧となっている。
【００３１】
つまり、トレッド面１１は、タイヤ幅方向における中央部に位置する中央部円弧３１のタイヤ幅方向車両外側、または両側２箇所にショルダー側円弧３２が位置し、ショルダー側円弧３２のタイヤ幅方向外方側の車両外側、または両側にショルダー部円弧３３が位置している。また、中央部円弧３１とショルダー側円弧３２、及びショルダー側円弧３２とショルダー部円弧３３とは、それぞれ接続されて連続的に形成されている。また、このように位置している中央部円弧３１の曲率半径ＴＲ１と、ショルダー側円弧３２の曲率半径ＴＲ２と、ショルダー部円弧３３の曲率半径ＳＨＲとは、大きさが全て異なっている。
【００３２】
なお、ここでいうタイヤ幅方向車両外側とは、空気入りタイヤ１を車両（図示省略）に装着した場合において、空気入りタイヤ１のタイヤ幅方向における両端のうち、車両の幅方向の外側方向に位置する側の端部をいう。また、タイヤ幅方向車両内側とは、空気入りタイヤ１を車両に装着した場合において、空気入りタイヤ１のタイヤ幅方向における両端のうち、車両の幅方向の内側方向、或いは車両の幅方向における中心方向に位置する側の端部をいう。
【００３３】
また、ショルダー部円弧３３のタイヤ幅方向外方には、サイド部円弧３４が形成されている。このサイド部円弧３４は、ショルダー部円弧３３のタイヤ幅方向外方に位置すると共にショルダー部円弧３３に接続され、ショルダー部円弧３３からサイドウォール部１５の方向に向けて形成されている。
【００３４】
また、トレッド部１０のタイヤ径方向内方で、当該空気入りタイヤ１のタイヤ幅方向における両端の２箇所には、サイドウォール部１５が設けられているが、この２箇所のサイドウォール部１５は、子午面断面の形状が、共にタイヤ幅方向外方に凸となるように湾曲している。また、このように２箇所のサイドウォール部１５は、タイヤ幅方向外方に凸となるように湾曲しているため、双方のサイドウォール部１５のうちタイヤ幅方向において最も赤道面５から離れている部分同士のタイヤ幅方向における距離は、当該空気入りタイヤ１の総幅となる。
【００３５】
これらのように形成される空気入りタイヤ１が有するトレッド面１１は、所定の形状で形成されている。即ち、空気入りタイヤ１の各部を、中央部円弧３１のタイヤ幅方向における端部である中央部円弧端点３５から赤道面５までのタイヤ幅方向における幅である輪郭範囲をＬ１とし、当該空気入りタイヤ１の外径、つまり、トレッド面１１のうちタイヤ径方向における径が最も大きい部分の直径であるタイヤ外径をＯＤとし、タイヤ幅方向におけるトレッド面１１の幅であるトレッド展開幅をＴＤＷとする。空気入りタイヤ１各部を、このように規定した場合に、トレッド面１１は、輪郭範囲Ｌ１とトレッド展開幅ＴＤＷとの関係を下記式（６）で求め、式（６）によって求められたＦ１が０．６４≦Ｆ１≦０．７の範囲内になると共に、中央部円弧３１の曲率半径ＴＲ１とタイヤ外径ＯＤとの比を下記式（７）で求め、式（７）によって求められたＦ２が１．２≦Ｆ２≦２．０の範囲内になるように形成されている。さらに、トレッド面１１は、中央部円弧３１の曲率半径ＴＲ１とショルダー側円弧３２の曲率半径ＴＲ２との比を下記の式（８）で求め、式（８）で求められたＦ３が０．１≦Ｆ３≦０．２の範囲内になるように形成されている。
Ｆ１＝Ｌ１／（ＴＤＷ×０．５）・・・（６）
Ｆ２＝ＴＲ１／ＯＤ・・・（７）
Ｆ３＝ＴＲ２／ＴＲ１・・・（８）
【００３６】
図２は、図１のＡ部詳細図である。なお、トレッド展開幅ＴＤＷは、図２に示すように、トレッド部１０のタイヤ幅方向における両端側に位置する仮想トレッド端４７同士の距離をトレッド展開幅ＴＤＷとする。即ち、空気入りタイヤ１の子午面断面において、タイヤ幅方向の両側に位置するショルダー側円弧３２のうち、一方のショルダー側円弧３２をタイヤ幅方向外方に延長した仮想線であるショルダー側円弧延長線４５と、当該ショルダー側円弧３２と連続して形成されるショルダー部円弧３３に接続されるサイド部円弧３４をタイヤ径方向外方に延長した仮想線であるサイド部円弧延長線４６との交点を仮想トレッド端４７とする。この仮想トレッド端４７は、タイヤ幅方向における両端側に形成されるため、タイヤ幅方向における仮想トレッド端４７同士の距離を、トレッド展開幅ＴＤＷとする。
【００３７】
さらに、空気入りタイヤ１の偏平率をβとし、当該空気入りタイヤ１のタイヤ幅方向における総幅をＳＷとした場合に、偏平率βとトレッド展開幅ＴＤＷと総幅ＳＷとの関係を下記式（９）で求め、式（９）によって求められたＦ４が０．３５≦Ｆ４≦０．４８の範囲内になるように、当該空気入りタイヤ１は形成されている。
Ｆ４＝（β×ＴＤＷ）／（１００×ＳＷ）・・・（９）
【００３８】
またさらに、当該空気入りタイヤ１は、中央部円弧端点３５を通り、且つ、中央部円弧３１に接する接線である中央部円弧接線４１と、ショルダー部円弧３３のタイヤ幅方向外方側の端部であるショルダー部円弧端点３６を通り、且つ、ショルダー部円弧３３に接する接線であるショルダー部円弧接線４２と、が交差した際になす複数の角度のうち、中央部円弧接線４１のタイヤ径方向内方側で、且つ、ショルダー部円弧接線４２のタイヤ幅方向外方側に位置する角度αは、３５°≦α≦６０°の範囲内になっている。
【００３９】
また、当該空気入りタイヤ１は、中央部円弧３１の曲率半径ＴＲ１とショルダー部円弧３３の曲率半径ＳＨＲとの比を下記式（１０）で求め、式（１０）で求められたＦ５が０．０２５≦Ｆ５≦０．０３５の範囲内になるように、トレッド面１１は形成されている。
Ｆ５＝ＳＨＲ／ＴＲ１・・・（１０）
【００４０】
図３は、図１に示す空気入りタイヤのキャップトレッドの説明図である。トレッド部１０が有するキャップトレッド１２は、ＪＩＳ−Ｋ６２５１による３００％引張モジュラスが異なる２層のゴム層により形成されており、２層のゴム層のうちタイヤ径方向外方側に位置するゴム層は外側ゴム層１３となっており、外側ゴム層１３のタイヤ径方向内方側に位置するゴム層は内側ゴム層１４となっている。
【００４１】
２層のゴム層は、タイヤ径方向外方側からタイヤ径方方向内方側に向かうに従って３００％引張モジュラスが低くなっており、外側ゴム層１３の３００％引張モジュラスよりも内側ゴム層１４の３００％引張モジュラスの方が低くなっている。具体的には、外側ゴム層１３の３００％引張モジュラスをＭｏとし、内側ゴム層１４の３００％引張モジュラスをＭｉとした場合に、外側ゴム層１３の３００％引張モジュラスＭｏは（１０＜Ｍｏ≦１５）ＭＰａの範囲内になっており、内側ゴム層１４の３００％引張モジュラスＭｉは（５≦Ｍｉ≦１０）ＭＰａの範囲内になっている。
【００４２】
また、キャップトレッド１２は、空気入りタイヤ１の子午面断面視における内側ゴム層１４の平均厚さＤｉが、キャップトレッド１２の厚さＤの３０〜７０％の範囲内となっている。なお、ここでいうキャップトレッド１２の厚さＤとは、キャップトレッド１２の厚さの平均厚さとなっている。また、内側ゴム層１４の平均厚さＤｉは、内側ゴム層１４全体の厚さの平均値であるため、内側ゴム層１４の厚さは、部分的にキャップトレッド１２の厚さＤの３０〜７０％の範囲外になっていてもよい。
【００４３】
この空気入りタイヤ１を車両に装着して走行すると、トレッド面１１のうち下方に位置するトレッド面１１が路面（図示省略）に接触しながら当該空気入りタイヤ１は回転する。車両走行時には、このようにトレッド面１１が路面に接触するため、トレッド面１１には車両の重量などによる荷重が作用する。このトレッド面１１に作用する荷重は、車両の走行状態によって変化し、低速走行をしている際のコーナリング時などには、トレッド面１１に作用する荷重は比較的低く、高速走行をしている際のレーンチェンジ時やコーナリング時などには、トレッド面１１に作用する荷重は比較的高くなる。
【００４４】
車両走行時には、このように作用する荷重が変化しながらトレッド面１１が路面に接地するが、トレッド面１１は作用する荷重によって変形するため、そのトレッド面１１の変形に応じて各状態におけるコーナリングフォースの最大値、即ち、最大コーナリングフォースは変化する。
【００４５】
具体的には、トレッド面１１に作用する荷重が低い場合には、トレッド面１１は変形し難いが、実施の形態に係る空気入りタイヤ１のトレッド面１１は、輪郭範囲Ｌ１とトレッド展開幅ＴＤＷとの関係であるＦ１が、０．６４≦Ｆ１≦０．７の範囲内になるようになっており、中央部円弧３１の曲率半径ＴＲ１とタイヤ外径ＯＤとの比Ｆ２が１．２≦Ｆ２≦２．０の範囲内になるようになっている。これにより、例えば空気入りタイヤ１がＦＦ車のリアタイヤに用いられている場合などの低荷重時におけるトレッド面１１の形状が、平坦な形状に近くなり、低荷重時の接地面積が広くなる。
【００４６】
つまり、中央部円弧３１の曲率半径ＴＲ１とタイヤ外径ＯＤとの比Ｆ２が１．２以上になるようにすることにより、中央部円弧３１の曲率半径ＴＲ１を適度に大きくすることができ、Ｆ２が２．０以下になるようにすることにより、中央部円弧３１とショルダー側円弧３２との曲率半径の差が大きくなり過ぎることを抑制し、中央部円弧端点３５付近に大きな応力が作用することを抑制することができる。
【００４７】
また、輪郭範囲Ｌ１とトレッド展開幅ＴＤＷとの関係であるＦ１が０．６４以上になるようにすることにより、曲率半径の大きい中央部円弧３１がタイヤ幅方向において形成されている範囲を大きくすることができ、Ｆ１が０．７以下になるようにすることにより、タイヤ幅方向におけるショルダー側円弧３２の形成範囲を確保することができ、中央部円弧３１からショルダー部円弧３３にかけて曲率半径をなだらかに小さくすることができる。
【００４８】
これらにより、輪郭範囲Ｌ１とトレッド展開幅ＴＤＷとの関係であるＦ１が０．６４≦Ｆ１≦０．７の範囲内になるようにし、中央部円弧３１の曲率半径ＴＲ１とタイヤ外径ＯＤとの比Ｆ２が１．２≦Ｆ２≦２．０の範囲内になるようにすることにより、トレッド面１１のプロファイルを平坦な形状に近付けることができる。このため、低荷重時の接地面積を増大させることができ、低荷重時の最大コーナリングフォースを増加させることができる。従って、低荷重時の操縦安定性を確保することができる。特に、ＦＦ車は車両後半部が軽いため、リアタイヤは低荷重になっているが、リアタイヤの低荷重時の最大コーナリングフォースが増加することにより、リアの安定性が向上する。これにより、ＦＦ車では、より操縦安定性が高くなる。また、このように、低荷重時における接地面積を増大させることにより、トレッド面１１と路面との摩擦力を向上させることができ、制動性能の向上を図ることができる。
【００４９】
また、トレッド面１１に作用する荷重が大きい場合は、トレッド面１１は変形し易くなるが、前記空気入りタイヤ１は、中央部円弧３１の曲率半径ＴＲ１とショルダー側円弧３２の曲率半径ＴＲ２との比Ｆ３が０．１≦Ｆ３≦０．２の範囲内になるようになっているので、高荷重時における接地幅を適度に広げることができる。
【００５０】
つまり、中央部円弧３１の曲率半径ＴＲ１とショルダー側円弧３２の曲率半径ＴＲ２との比Ｆ３が０．１以上になるようにすることにより、ショルダー側円弧３２の曲率半径が小さくなり過ぎることを抑制できる。これにより、高荷重時にトレッド面１１におけるショルダー側円弧３２の部分が接地した際に、適度な接地幅で接地させることができ、高荷重時に接地幅が適度に広がるようにすることができる。また、中央部円弧３１の曲率半径ＴＲ１とショルダー側円弧３２の曲率半径ＴＲ２との比Ｆ３が０．２以下になるようにすることにより、ショルダー側円弧３２の曲率半径が大きくなり過ぎることを抑制できる。これにより、高荷重時にトレッド面１１におけるショルダー側円弧３２の部分が接地することに起因してトレッド面１１が広がり過ぎることを抑制できる。
【００５１】
このため、空気入りタイヤ１の最大荷重時など、高荷重がトレッド面１１に作用している場合に、接地幅を適度広げることができ、接地圧の均一化を図ることができる。これにより、耐摩耗性の向上を図ることができる。また、接地圧の均一化を図ることにより、路面との摩擦力を向上させることができるので、制動性能の向上を図ることができる。なお、ここでいう最大荷重とは、ＪＡＴＭＡで規定する「最大負荷能力」、ＴＲＡで規定する「TIRE LOAD LIMITS AT VARIOUS COLD INFLATION PRESSURES」に記載の最大値、あるいはＥＴＲＴＯで規定する「LOAD CAPACITY」である。
【００５２】
また、トレッド面１１に作用する荷重が大きい場合は、トレッド面１１は変形し易くなるが、前記空気入りタイヤ１は、偏平率βとトレッド展開幅ＴＤＷと総幅ＳＷとの関係であるＦ４が０．３５≦Ｆ４≦０．４８の範囲内になるようになっているので、高荷重時においても接地面積があまり広くならないようになっている。
【００５３】
つまり、偏平率βとトレッド展開幅ＴＤＷと総幅ＳＷとの関係であるＦ４が０．３５以上になるようにすることにより、総幅ＳＷに対する必要最低限のトレッド展開幅ＴＤＷを確保することができ、Ｆ４が０．４８以下になるようにすることにより、空気入りタイヤ１の総幅ＳＷに対するトレッド展開幅ＴＤＷが狭くなるようにすることができる。このため、空気入りタイヤ１の最大荷重時など、高荷重がトレッド面１１に作用している場合における接地面積の増大を低減でき、高荷重時の最大コーナリングフォースを低減させることができる。従って、高荷重時の転倒防止性能を確保することができる。
【００５４】
即ち、中央部円弧３１の曲率半径ＴＲ１とショルダー側円弧３２の曲率半径ＴＲ２との比Ｆ３が０．１≦Ｆ３≦０．２の範囲内になるようにし、且つ、偏平率βとトレッド展開幅ＴＤＷと総幅ＳＷとの関係であるＦ４が０．３５≦Ｆ４≦０．４８の範囲内になるようにすることにより、高荷重時に接地面積が大きくなり過ぎることを低減しつつ、高荷重時の接地幅を適度に広げ、接地面積を適切な範囲内に収めることができる。
【００５５】
また、キャップトレッド１２を、タイヤ径方向外方側からタイヤ径方方向内方側に向かうに従って３００％引張モジュラスが低くなる２層のゴム層により形成しているので、キャップトレッド１２の摩耗初期段階では、３００％引張モジュラスが高くなっているゴム層を接地させることができる。これにより、キャップトレッド１２が摩耗する前、またはあまり摩耗していない状態におけるキャップトレッド１２の剛性を確保できるため、操縦安定性を確保することができる。
【００５６】
また、キャップトレッド１２を、タイヤ径方向外方側からタイヤ径方方向内方側に向かうに従って３００％引張モジュラスが低くなる２層のゴム層により形成することにより、キャップトレッド１２の摩耗が進行した際に、３００％引張モジュラスが低くなっているゴム層を接地させることができる。これにより、キャップトレッド１２が摩耗した際におけるキャップトレッド１２の剛性を低下させることができるため、摩耗時の転倒防止性能を向上させることができる。これらの結果、操縦安定性を確保しつつ摩耗時の転倒防止性能を向上させることができる。
【００５７】
また、キャップトレッド１２を、３００％引張モジュラスが異なる外側ゴム層１３と内側ゴム層１４とにより形成し、外側ゴム層１３の３００％引張モジュラスＭｏは（１０＜Ｍｏ≦１５）ＭＰａの範囲内にし、且つ、内側ゴム層１４の３００％引張モジュラスＭｉは（５≦Ｍｉ≦１０）ＭＰａの範囲内にしている。これにより、キャップトレッド１２の摩耗が小さい状態におけるキャップトレッド１２の剛性をより確実に確保することができ、且つ、キャップトレッド１２の摩耗が大きい状態におけるキャップトレッド１２の剛性をより確実に低減することができる。この結果、より確実に操縦安定性を確保しつつ摩耗時の転倒防止性能を向上させることができる。
【００５８】
また、内側ゴム層１４の平均厚さＤｉを、キャップトレッド１２の厚さＤの３０〜７０％の範囲内にしているので、キャップトレッド１２の摩耗初期段階における剛性の確保と、摩耗が進行した場合におけるキャップトレッド１２の剛性の低減とを、より確実に両立させることができる。つまり、内側ゴム層１４の平均厚さＤｉがキャップトレッド１２の厚さＤの３０％よりも薄い場合には、キャップトレッド１２が摩耗した場合でも、３００％引張モジュラスが高い外側ゴム層１３が多く残るので、キャップトレッド１２の剛性が低減し難くなる虞がある。これにより、摩耗時の転倒防止性能が向上し難くなる虞がある。また、内側ゴム層１４の平均厚さＤｉがキャップトレッド１２の厚さＤの７０％よりも厚い場合には、３００％引張モジュラスが低い内側ゴム層１４の厚さが厚過ぎるため、キャップトレッド１２全体の剛性が低くなり過ぎる虞がある。これにより、摩耗が少ない状態における操縦安定性を確保するのが困難になる虞がある。
【００５９】
従って、内側ゴム層１４の平均厚さＤｉをキャップトレッド１２の厚さＤの３０〜７０％の範囲内にすることにより、キャップトレッド１２の摩耗初期段階における剛性を確保しつつ、摩耗が進行した場合におけるキャップトレッド１２の剛性をより確実に低減させることができる。この結果、より確実に操縦安定性を確保しつつ摩耗時の転倒防止性能を向上させることができる。
【００６０】
また、中央部円弧３１の曲率半径ＴＲ１とショルダー側円弧３２の曲率半径ＴＲ２との比Ｆ３が０．１≦Ｆ３≦０．２の範囲内になっており、高荷重時における接地幅を適度に広げることができるので、トレッド面１１を形成するゴム、即ち、キャップトレッド１２を形成するゴムに、低転がりの特性を有するゴムを用いた場合でも、トレッド面１１と路面との摩擦力を確保することができる。つまり、例えばキャップトレッド１２に、ｔａｎδの数値が小さいゴムを用いた場合でも、トレッド面１１と路面との摩擦力を確保することができるので、制動性能を確保することができる。従って、キャップトレッド１２に用いられるゴムの種類に関わらず、制動性能を確保することができる。この結果、より確実に制動性能の向上を図ることができる。また、このように、キャップトレッド１２に用いられるゴムの種類に関わらず、制動性能を確保することができるので、材料の選択肢を増加させることができ、安価なゴムを選択することも可能になる。この結果、製造コストの低減を図ることができる。
【００６１】
また、中央部円弧接線４１とショルダー部円弧接線４２とでなす角度αが３５°≦α≦６０°の範囲内になっているので、より確実に転倒防止性能の向上を図ることができる。つまり、中央部円弧接線４１とショルダー部円弧接線４２とでなす角度αを３５°以上にすることにより、トレッド面１１方向からサイドウォール部１５方向にかけてのショルダー部１６付近での角度変化を大きくすることができる。即ち、ショルダー部１６の肩落ちを急角度にすることができる。また、中央部円弧接線４１とショルダー部円弧接線４２とでなす角度αを６０°以下にすることにより、ショルダー部円弧３３付近の剛性を確保できる。これにより、高荷重時で、且つ、高スリップアングル時において、ショルダー部１６が変形してショルダー部１６の多くの部分が接地することを抑制でき、ショルダー部１６が変形して接地することにより接地面積が拡がることを抑制できる。従って、より確実に高荷重時の最大コーナリングフォースの低減を図ることができる。この結果、より確実に転倒防止性能の向上を図ることができる。
【００６２】
また、中央部円弧３１の曲率半径ＴＲ１とショルダー部円弧３３の曲率半径ＳＨＲとの比であるＦ５が０．０２５≦Ｆ５≦０．０３５の範囲内となっているので、より確実に転倒防止性能の向上を図ることができる。つまり、中央部円弧３１の曲率半径ＴＲ１とショルダー部円弧３３の曲率半径ＳＨＲとの比Ｆ５を０．０２５以上にすることにより、ショルダー部円弧３３付近の剛性を確保できる。また、中央部円弧３１の曲率半径ＴＲ１とショルダー部円弧３３の曲率半径ＳＨＲとの比Ｆ５を０．０３５以下にすることにより、ショルダー部１６の肩落ちを急角度にすることができる。これにより、高荷重時で、且つ、高スリップアングル時において、ショルダー部１６が変形してショルダー部１６の多くの部分が接地することを抑制でき、ショルダー部１６の変形により接地面積が拡がることを抑制できる。従って、より確実に高荷重時の最大コーナリングフォースの低減を図ることができる。この結果、より確実に転倒防止性能の向上を図ることができる。
【００６３】
なお、実施の形態に係る空気入りタイヤ１では、キャップトレッド１２は外側ゴム層１３と内側ゴム層１４との２層のゴム層により形成されているが、キャップトレッド１２は３層以上のゴム層により形成されていてもよい。キャップトレッド１２は、タイヤ径方向外方側からタイヤ径方方向内方側に向かうに従って３００％引張モジュラスが低くなる複数のゴム層により形成されていれば、その枚数は問わない。キャップトレッド１２を、このように形成することにより、キャップトレッド１２の摩耗初期段階では剛性を確保しつつ、摩耗するに従って剛性を低下させることができるため、操縦安定性を確保しつつ摩耗時の転倒防止性能を向上させることができる。
【実施例】
【００６４】
以下、上記の空気入りタイヤ１について、本発明の空気入りタイヤ１と、この本発明の空気入りタイヤ１と比較する比較例の空気入りタイヤとについて行なった性能の評価試験について説明する。性能評価試験は、転倒防止性能と操縦安定性について行なった。
【００６５】
試験方法は、２０５／４５Ｒ１７サイズの空気入りタイヤ１をリムに組み付け、この空気入りタイヤ１を排気量１５００ｃｃの車両に装着してテスト走行をすることによって行なった。各試験項目の評価方法は、転倒防止性能については、試験を行なう空気入りタイヤ１として５０％摩耗時の空気入りタイヤ１を準備し、この空気入りタイヤ１を装着した車両でＩＳＯ３８８８−２に規定するダブルレーンチェンジテスト（エルクテスト）を行い、車両の車輪がリフトアップするか否かによって転倒防止性能を判定した。この判定では、試験速度６０ｋｍ／ｈで車輪がリフトアップしなかった場合を○、車輪がリフトアップした場合には×とし、判定が○の場合には、転倒防止性能が優れていると判断した。
【００６６】
また、操縦安定性については、平坦な周回路を有するテストコースを、性能評価試験を行なう空気入りタイヤ１を装着した車両で、６０〜１００ｋｍ／ｈで実車走行し、レーンチェンジ時及びコーナリング時の操舵性と直進時の安定性について、専門のパネラー３名による官能評価を行なった。評価結果は、後述する比較例の操縦安定性を１００とする指数で示しており、この指数が大きい程、操縦安定性が優れている。また、この操縦安定性は、指数が３ポイント以上の差がある場合に、優位差があるものとする。
【００６７】
この試験を行なう空気入りタイヤ１は、本発明が５種類、本発明と比較する１種類の比較例を、上記の方法で試験する。試験を行なう空気入りタイヤ１は、本発明１〜５は、Ｆ１、Ｆ２、Ｆ３、Ｆ４が、全て上述した範囲、即ち、（０．６４≦Ｆ１≦０．７）、（１．２≦Ｆ２≦２．０）、（０．１≦Ｆ３≦０．２）、（０．３５≦Ｆ４≦０．４８）の範囲内に入っている。これに対し、比較例は、Ｆ１及びＦ３が、（０．６４≦Ｆ１≦０．７）及び（０．１≦Ｆ３≦０．２）の範囲外となっている。また、これらの空気入りタイヤ１は、本発明１と本発明２、本発明３〜５が、それぞれＦ１、Ｆ２、Ｆ３、Ｆ４が同じ値になっている。また、比較例はキャップトレッド１２が１種類の引張モジュラスからなるゴム層により形成されているのに対し、本発明１〜５は内側ゴム層１４と外側ゴム層１３とで、３００％引張モジュラスＭｉ、Ｍｏがそれぞれ異なっており、外側ゴム層１３の引張モジュラスＭｏよりも内側ゴム層１４の引張モジュラスＭｉの方が低くなっている。また、本発明１〜５では、キャップトレッド１２の厚さに対する内側ゴム層１４の平均厚さの割合がそれぞれ異なっている。
【００６８】
これらの比較例、本発明１〜５の空気入りタイヤ１を上記の方法で評価試験をし、得られた結果を表１に示す。
【００６９】
【表１】
2009090692.tif 000003
【００７０】
表１に示した上記の試験結果で明らかなように、Ｆ１、Ｆ２、Ｆ３、Ｆ４を、（０．６４≦Ｆ１≦０．７）、（１．２≦Ｆ２≦２．０）、（０．１≦Ｆ３≦０．２）、（０．３５≦Ｆ４≦０．４８）の範囲内にした場合でも、５０％摩耗をした場合にはトレッド面１１のプロファイルは摩耗前の状態から変化するため、転倒防止性能を確保するのが困難になる（比較例）。これに対し、キャップトレッド１２を内側ゴム層１４と外側ゴム層１３とより形成し、内側ゴム層１４の３００％引張モジュラスＭｉを外側ゴム層１３の３００％引張モジュラスＭｏよりも低くすることにより、摩耗前のキャップトレッド１２の剛性を確保しつつ摩耗時の剛性を低下できるため、摩耗初期段階の操縦安定性を確保しつつ、キャップトレッド１２が摩耗した際における転倒防止性能を向上させることができる（本発明１〜５）。
【００７１】
従って、これらの試験結果で明らかなように、Ｆ１、Ｆ２、Ｆ３、Ｆ４を、（０．６４≦Ｆ１≦０．７）、（１．２≦Ｆ２≦２．０）、（０．１≦Ｆ３≦０．２）、（０．３５≦Ｆ４≦０．４８）の範囲内にし、キャップトレッド１２をタイヤ径方向外方側からタイヤ径方方向内方側に向かうに従って３００％引張モジュラスが低くなる複数のゴム層により形成することにより、操縦安定性を確保しつつ摩耗時の転倒防止性能を向上させることができる。
【産業上の利用可能性】
【００７２】
以上のように、本発明に係る空気入りタイヤは、子午面断面で見た場合のトレッド面が複数の円弧により形成されている場合に有用であり、特に、トレッド面が３種類の円弧により形成されている場合に適している。
【図面の簡単な説明】
【００７３】
【図１】この発明に係る空気入りタイヤの要部を示す子午面断面図である。
【図２】図１のＡ部詳細図である。
【図３】図１に示す空気入りタイヤのキャップトレッドの説明図である。
【符号の説明】
【００７４】
１  空気入りタイヤ
５  赤道面
１０  トレッド部
１１  トレッド面
１２  キャップトレッド
１３  外側ゴム層
１４  内側ゴム層
１５  サイドウォール部
１６  ショルダー部
２１  ベルト層
２２  カーカス
２３  インナーライナ
２４  ビード部
２５  ビードコア
２６  ビードフィラー
３１  中央部円弧
３２  ショルダー側円弧
３３  ショルダー部円弧
３４  サイド部円弧
３５  中央部円弧端点
３６  ショルダー部円弧端点
４１  中央部円弧接線
４２  ショルダー部円弧接線
４５  ショルダー側円弧延長線
４６  サイド部円弧延長線
４７  仮想トレッド端
【図１】
2009090692.tif 000004
【図２】
2009090692.tif 000005
【図３】
2009090692.tif 000006